(57)【要約】【課題】異なる無線基地局ｅＮＢ配下のセル間におけるハンドオーバ手順において「ＲＲＣ  ｄｉｖｅｒｓｉｔｙ」を実現するに際して、ハンドオーバ先セルにおいて適切なタイミングで「ＨＯ  ｃｏｍｍａｎｄ」を送信する。【解決手段】本発明に係るハンドオーバ方法は、無線基地局ｅＮＢ＃１が、移動局ＵＥに対して、「ＨＯ  ｃｏｍｍａｎｄ」を送信する工程Ａと、無線基地局ｅＮＢ＃１０が、無線基地局ｅＮＢからのスケジューリング開始指示に基づいて、移動局ＵＥに対する「ＨＯ  ｃｏｍｍａｎｄ」の送信を開始する工程Ｂと、無線基地局ｅＮＢ＃１が、スケジューリング停止トリガを検出するまでの期間、移動局ＵＥに対して、所定周期で、「ＨＯ  ｃｏｍｍａｎｄ」の送信を繰り返す工程Ｃとを有する。【選択図】図３
2014220693.tif 000002
【特許請求の範囲】
【請求項１】
第１無線基地局配下の第１セルに接続している移動局が第２無線基地局配下の第２セルにハンドオーバするハンドオーバ方法であって、
前記第１無線基地局が、前記移動局に対して、ハンドオーバ指示信号を送信する工程Ａと、
前記第２無線基地局が、前記第１無線基地局からのスケジューリング開始指示に基づいて、前記移動局に対する前記ハンドオーバ指示信号の送信を開始する工程Ｂと、
前記第２無線基地局が、スケジューリング停止トリガを検出するまでの期間、前記移動局に対して、所定周期で、前記ハンドオーバ指示信号の送信を繰り返す工程Ｃとを有することを特徴とするハンドオーバ方法。
【請求項２】
前記工程Ｂにおいて、前記第２無線基地局は、前記第１無線基地局からのスケジューリング開始指示を受信してから所定時間が経過した後に、前記移動局に対する前記ハンドオーバ指示信号の送信を開始することを特徴とする請求項１に記載のハンドオーバ方法。
【請求項３】
前記工程Ｃにおいて、前記第２無線基地局は、前記ハンドオーバ指示信号に対する送達確認信号を確認することなく、該ハンドオーバ指示信号の送信を繰り返すことを特徴とする請求項１又は２に記載のハンドオーバ方法。
【請求項４】
前記所定周期は、８ｍｓよりも短いことを特徴とする請求項１乃至３のいずれか一項に記載のハンドオーバ方法。
【請求項５】
前記工程Ｃにおいて、前記第２無線基地局は、前記移動局からのランダムアクセスプリアンブルの受信を検出した場合に、前記スケジューリング停止トリガを検出したと判断することを特徴とする請求項１乃至４のいずれか一項に記載のハンドオーバ方法。
【請求項６】
前記工程Ｃにおいて、前記第２無線基地局は、ランダムアクセス応答によって指定した物理上り共有チャネルを介して送信された前記移動局からの信号に対するＣＲＣチェックが成功した場合に、前記スケジューリング停止トリガを検出したと判断することを特徴とする請求項１乃至４のいずれか一項に記載のハンドオーバ方法。
【請求項７】
前記工程Ｃにおいて、前記第２無線基地局は、前記移動局からＲＲＣコネクション再設定完了信号を受信した場合に、前記スケジューリング停止トリガを検出したと判断することを特徴とする請求項１乃至４のいずれか一項に記載のハンドオーバ方法。
【請求項８】
前記工程Ｃにおいて、前記第２無線基地局は、他の無線基地局からスケジューリング停止要求を受信した場合に、前記スケジューリング停止トリガを検出したと判断することを特徴とする請求項１乃至４のいずれか一項に記載のハンドオーバ方法。
【請求項９】
前記工程Ｃにおいて、前記第２無線基地局は、前記移動局に対する前記ハンドオーバ指示信号の送信を開始してから所定期間が経過しても、前記移動局からの応答信号を受信しない場合に、前記スケジューリング停止トリガを検出したと判断することを特徴とする請求項１乃至４のいずれか一項に記載のハンドオーバ方法。
【請求項１０】
第１無線基地局配下の第１セルに接続している移動局が第２無線基地局配下の第２セルにハンドオーバする際に該第２無線基地局として動作することができる無線基地局であって、
前記第１無線基地局からのスケジューリング開始指示に基づいて、前記移動局に対するハンドオーバ指示信号の送信を開始するように構成されている送信部を具備しており、
前記送信部は、スケジューリング停止トリガを検出するまでの期間、前記移動局に対して、所定周期で、前記ハンドオーバ指示信号の送信を繰り返すように構成されていることを特徴とする無線基地局。
【発明の詳細な説明】
【技術分野】
【０００１】
本発明は、ハンドオーバ方法及び無線基地局に関する。
【背景技術】
【０００２】
ＬＴＥ（Ｌｏｎｇ  Ｔｅｒｍ  Ｅｖｏｌｕｔｉｏｎ）方式において、「ＲＲＣ_Ｃｏｎｎｅｃｔｅｄ状態」の移動局ＵＥがセル境界を跨いで移動する際には、移動局ＵＥに常に適切なセルで通信を行わせるために、ハンドオーバ手順が行われるように構成されている。
【０００３】
しかしながら、同一周波数のセル間においてハンドオーバ手順が行われる場合には、移動局ＵＥは、周辺セルからの干渉によって、ハンドオーバ元セルにおいて「ＨＯ  ｃｏｍｍａｎｄ」を受信することができずに、かかるハンドオーバ手順が失敗してしまうことが懸念されている（図４（ａ）参照）。
【０００４】
そこで、図４（ｂ）に示すように、ハンドオーバ元セルだけではなくハンドオーバ先セルからも「ＨＯ  ｃｏｍｍａｎｄ」を送信することで、移動局ＵＥが「ＨＯ  ｃｏｍｍａｎｄ」を受信する確率を高めてハンドオーバ手順の失敗を抑制する制御（ＲＲＣ  ｄｉｖｅｒｓｉｔｙ）が提案されている（非特許文献１参照）。
【０００５】
ここで、「ＲＲＣ  ｄｉｖｅｒｓｉｔｙ」は、下りリンクにおけるＣｏＭＰ送受信（Ｃｏｏｒｄｉｎａｔｅｄ  Ｍｕｌｔｉ-Ｐｏｉｎｔ  ｔｒａｎｓｍｉｓｓｉｏｎ/ｒｅｃｅｐｔｉｏｎ、マルチポイント協調送受信）によって実現することができる。
【０００６】
なお、下りリンクにおけるＣｏＭＰ送受信は、複数のＴＰ（Ｔｒａｎｓｍｉｓｓｉｏｎ  Ｐｏｉｎｔ）から移動局ＵＥに対して、同一或いは異なるデータを送信することで、下りリンクにおけるスループットを向上させる技術である。
【先行技術文献】
【非特許文献】
【０００７】
【非特許文献１】３ＧＰＰ寄書Ｒ２-１３１２１１
【発明の概要】
【発明が解決しようとする課題】
【０００８】
現状、下りリンクにおけるＣｏＭＰ送受信は、同一の無線基地局ｅＮＢ配下のセルでのみ実現可能である。
【０００９】
したがって、図５に示すように、異なる無線基地局ｅＮＢ配下のセル間におけるハンドオーバ手順では、「ＲＲＣ  ｄｉｖｅｒｓｉｔｙ」を実現することができないという問題点があった。
【００１０】
具体的には、従来のＬＴＥ方式では、異なる無線基地局ｅＮＢ配下のセル間におけるハンドオーバ手順において「ＲＲＣ  ｄｉｖｅｒｓｉｔｙ」を実現するに際して、ハンドオーバ先無線基地局ｅＮＢは、どのタイミングで、「ＨＯ  ｃｏｍｍａｎｄ」の送信を開始すべきか規定されていないという問題点があった。
【００１１】
そこで、本発明は、上述の課題に鑑みてなされたものであり、異なる無線基地局ｅＮＢ配下のセル間におけるハンドオーバ手順において「ＲＲＣ  ｄｉｖｅｒｓｉｔｙ」を実現するに際して、ハンドオーバ先セルにおいて適切なタイミングで「ＨＯ  ｃｏｍｍａｎｄ」を送信することを可能とするハンドオーバ方法及び無線基地局を提供することを目的とする。
【課題を解決するための手段】
【００１２】
本発明の第１の特徴は、第１無線基地局配下の第１セルに接続している移動局が第２無線基地局配下の第２セルにハンドオーバするハンドオーバ方法であって、前記第１無線基地局が、前記移動局に対して、ハンドオーバ指示信号を送信する工程Ａと、前記第２無線基地局が、前記第１無線基地局からのスケジューリング開始指示に基づいて、前記移動局に対する前記ハンドオーバ指示信号の送信を開始する工程Ｂと、前記第２無線基地局が、スケジューリング停止トリガを検出するまでの期間、前記移動局に対して、所定周期で、前記ハンドオーバ指示信号の送信を繰り返す工程Ｃとを有することを要旨とする。
【００１３】
本発明の第２の特徴は、第１無線基地局配下の第１セルに接続している移動局が第２無線基地局配下の第２セルにハンドオーバする際に該第２無線基地局として動作することができる無線基地局であって、前記第１無線基地局からのスケジューリング開始指示に基づいて、前記移動局に対するハンドオーバ指示信号の送信を開始するように構成されている送信部を具備しており、前記送信部は、スケジューリング停止トリガを検出するまでの期間、前記移動局に対して、所定周期で、前記ハンドオーバ指示信号の送信を繰り返すように構成されていることを要旨とする。
【発明の効果】
【００１４】
以上説明したように、本発明によれば、異なる無線基地局ｅＮＢ配下のセル間におけるハンドオーバ手順において「ＲＲＣ  ｄｉｖｅｒｓｉｔｙ」を実現するに際して、ハンドオーバ先セルにおいて適切なタイミングで「ＨＯ  ｃｏｍｍａｎｄ」を送信することを可能とするハンドオーバ方法及び無線基地局を提供することができる。
【図面の簡単な説明】
【００１５】
【図１】本発明の第１の実施形態に係る移動通信システムの全体構成を説明するための図である。
【図２】本発明の第１の実施形態に係る無線基地局ｅＮＢ＃１０の機能ブロック図である。
【図３】本発明の第１の実施形態に係る無線基地局ｅＮＢ＃１０の動作を示すフローチャートである。
【図４】従来技術を説明するための図である。
【図５】従来技術を説明するための図である。
【発明を実施するための形態】
【００１６】
（本発明の第１の実施形態に係る移動通信システム）
図１乃至図３を参照して、本発明の第１の実施形態に係る移動通信システムについて説明する。
【００１７】
図１に示すように、本実施形態に係る移動通信システムは、セル＃１を管理する無線基地局ｅＮＢ＃１と、セル＃１０を管理する無線基地局ｅＮＢ＃１０とを具備している。
【００１８】
セル＃１のカバーエリア及びセル＃１０のカバーエリアは、少なくとも一部で地理的に重複するように構成されている。ここで、セル＃１及びセル＃１０は、同一周波数のセルである。
【００１９】
例えば、セル＃１は、マクロセル（Ｍａｃｒｏ  ｃｅｌｌ）であり、セル＃１０は、ファントムセル（Ｐｈａｎｔｏｍ  ｃｅｌｌ）等のスモールセル（Ｓｍａｌｌ  ｃｅｌｌ）であってもよい。
【００２０】
また、本実施形態に係る移動通信システムでは、下りリンクにおけるＣｏＭＰは、無線基地局ｅＮＢ＃１配下のセル＃１と無線基地局ｅＮＢ＃１０配下のセル＃１０との間においても実現され得るように構成されている。
【００２１】
なお、本実施形態では、セル＃１に接続している移動局ＵＥがセル＃１０にハンドオーバすることを想定して説明を行うこととする。また、本実施形態では、かかるハンドオーバが行われる際に、「ＲＲＣ  ｄｉｖｅｒｓｉｔｙ」が行われる、すなわち、無線基地局ｅＮＢ＃１及び無線基地局ｅＮＢ＃１０の両方が移動局ＵＥに対して「ＨＯ  ｃｏｍｍａｎｄ」を送信するように構成されるものとする。
【００２２】
図２に示すように、本実施形態に係る無線基地局ｅＮＢ＃１０は、受信部１１と、送信部１２とを具備している。
【００２３】
受信部１１は、移動局ＵＥ及び無線基地局ｅＮＢ＃１から各種信号を受信するように構成されており、送信部１２は、移動局ＵＥ及び無線基地局ｅＮＢ＃１に対して各種信号を送信するように構成されている。
【００２４】
具体的には、上述のハンドオーバが行われる際に、受信部１１が、無線基地局ｅＮＢ＃１からのスケジューリング開始指示を受信すると、送信部１２は、かかるスケジューリング開始指示に基づいて、移動局ＵＥに対する「ＨＯ  ｃｏｍｍａｎｄ」の送信を開始するように構成されている。
【００２５】
その後、送信部１２は、スケジューリング停止トリガを検出するまでの期間、移動局ＵＥに対して、所定周期で、かかる「ＨＯ  ｃｏｍｍａｎｄ」の送信を繰り返すように構成されている。
【００２６】
例えば、受信部１１が、無線基地局ｅＮＢ＃１からのスケジューリング開始指示を受信した時点では、移動局ＵＥは、まだセル＃１０に近づいていない可能性もあるため、送信部１２は、無線基地局ｅＮＢ＃１からのスケジューリング開始指示を受信してから所定時間が経過した後に、移動局ＵＥに対する「ＨＯ  ｃｏｍｍａｎｄ」の送信を開始するように構成されていてもよい。
【００２７】
また、ハンドオーバ先無線基地局ｅＮＢと移動局ＵＥとの間では、上りリンクの同期が取れていないため、ハンドオーバ先無線基地局ｅＮＢによって送信された「ＨＯ  ｃｏｍｍａｎｄ」に対してはＭＡＣ-ＡＣＫがフィードバックされない。したがって、送信部１２は、「ＨＯ  ｃｏｍｍａｎｄ」に対するＭＡＣ-ＡＣＫを確認することなく、「ＨＯ  ｃｏｍｍａｎｄ」号の送信を繰り返すように構成されていてもよい。
【００２８】
なお、ハンドオーバ元無線基地局ｅＮＢによって送信された「ＨＯ  ｃｏｍｍａｎｄ」に対してはＭＡＣ-ＡＣＫがフィードバックされる。
【００２９】
ここで、上述の所定周期は、通常の下りリンクにおけるＨＡＲＱ再送間隔である８ｍｓよりも短くなるように構成されていてもよい。
【００３０】
また、送信部１２は、移動局ＵＥからのランダムアクセスプリアンブルの受信を検出した場合に、上述のスケジューリング停止トリガを検出したと判断するように構成されていてもよい。
【００３１】
また、送信部１２は、ランダムアクセス応答によって指定したＰＵＳＣＨ（Ｐｈｙｓｉｃａｌ  Ｕｐｌｉｎｋ  Ｓｈａｒｅｄ  Ｃｈａｎｎｅｌ）を介して送信された移動局ＵＥからの信号に対するＣＲＣチェックが成功した場合に、上述のスケジューリング停止トリガを検出したと判断するように構成されていてもよい。
【００３２】
また、送信部１２は、移動局ＵＥから「ＲＲＣ  ｃｏｎｎｅｃｔｉｏｎ  Ｒｅｃｏｎｆｉｇｕｒａｔｉｏｎ  ｃｏｍｐｌｅｔｅ」を受信した場合に、上述のスケジューリング停止トリガを検出したと判断するように構成されていてもよい。
【００３３】
また、送信部１２は、他の無線基地局ｅＮＢ（無線基地局ｅＮＢ＃１を含む）からスケジューリング停止要求を受信した場合に、上述のスケジューリング停止トリガを検出したと判断するように構成されていてもよい。
【００３４】
さらに、送信部１２は、移動局ＵＥに対する「ＨＯ  ｃｏｍｍａｎｄ」の送信を開始してから所定期間が経過しても、移動局ＵＥからの応答信号を受信しない場合に、上述のスケジューリング停止トリガを検出したと判断するように構成されていてもよい。
【００３５】
以下、図３を参照して、本実施形態に係る移動通信システムの動作について説明する。具体的には、本実施形態に係る移動通信システムにおいて、移動局ＵＥがセル＃１からセル＃１０にハンドオーバする際の無線基地局ｅＮＢ＃１０の動作について説明する。
【００３６】
図３に示すように、無線基地局ｅＮＢ＃１０は、ステップＳ１０１において、無線基地局ｅＮＢ＃１からスケジューリング開始指示を受信すると、ステップＳ１０２において、移動局ＵＥに対して「ＨＯ  ｃｏｍｍａｎｄ」を送信する。
【００３７】
無線基地局ｅＮＢ＃１０は、ステップＳ１０３において、スケジューリング停止トリガを検出しない場合、ステップＳ１０４において、所定周期で、移動局ＵＥに対して「ＨＯ  ｃｏｍｍａｎｄ」を再送する。
【００３８】
以上に述べた本実施形態の特徴は、以下のように表現されていてもよい。
【００３９】
本実施形態の第１の特徴は、無線基地局ｅＮＢ＃１（第１無線基地局）配下のセル＃１（第１セル）に接続している移動局ＵＥが無線基地局ｅＮＢ＃１０（第２無線基地局）配下のセル＃１０（第２セル）にハンドオーバするハンドオーバ方法であって、無線基地局ｅＮＢ＃１が、移動局ＵＥに対して、「ＨＯ  ｃｏｍｍａｎｄ（ハンドオーバ指示信号）」を送信する工程Ａと、無線基地局ｅＮＢ＃１０が、無線基地局ｅＮＢ＃１からのスケジューリング開始指示に基づいて、移動局ＵＥに対する「ＨＯ  ｃｏｍｍａｎｄ」の送信を開始する工程Ｂと、無線基地局ｅＮＢ＃１０が、スケジューリング停止トリガを検出するまでの期間、移動局ＵＥに対して、所定周期で、「ＨＯ  ｃｏｍｍａｎｄ」の送信を繰り返す工程Ｃとを有することを要旨とする。
【００４０】
かかる特徴によれば、異なる無線基地局ｅＮＢ配下のセル間におけるハンドオーバ手順において「ＲＲＣ  ｄｉｖｅｒｓｉｔｙ」を実現する場合に、無線基地局ｅＮＢ＃１０は、無線基地局ｅＮＢ＃１からのスケジューリング開始指示に基づいて、移動局ＵＥに対して適切なタイミングで「ＨＯ  ｃｏｍｍａｎｄ」を送信することができる。
【００４１】
本実施形態の第１の特徴において、工程Ｂにおいて、無線基地局ｅＮＢ＃１０は、無線基地局ｅＮＢ＃１からのスケジューリング開始指示を受信してから所定時間が経過した後に、移動局ＵＥに対する「ＨＯ  ｃｏｍｍａｎｄ」の送信を開始してもよい。
【００４２】
かかる特徴によれば、移動局ＵＥが、セル＃１０に近づく前に、無線基地局ｅＮＢ＃１０が、移動局ＵＥに対して「ＨＯ  ｃｏｍｍａｎｄ」を送信してしまうという事態を回避することができる。
【００４３】
本実施形態の第１の特徴において、工程Ｃにおいて、無線基地局ｅＮＢ＃１０は、「ＨＯ  ｃｏｍｍａｎｄ」に対するＭＡＣ-ＡＣＫ（送達確認信号）を確認することなく、「ＨＯ  ｃｏｍｍａｎｄ」号の送信を繰り返してもよい。
【００４４】
かかる特徴によれば、無線基地局ｅＮＢ＃１０と移動局ＵＥとの間において上りリンクの同期が取れていないため、無線基地局ｅＮＢ＃１０によって送信された「ＨＯ  ｃｏｍｍａｎｄ」に対してはＭＡＣ-ＡＣＫがフィードバックされないという状況においても、無線基地局ｅＮＢ＃１０は、移動局ＵＥに対して「ＨＯ  ｃｏｍｍａｎｄ」を繰り返し送信することができる。
【００４５】
本実施形態の第１の特徴において、上述の所定周期は、８ｍｓよりも短くてもよい。
【００４６】
かかる特徴によれば、無線基地局ｅＮＢ＃１０によって送信された「ＨＯ  ｃｏｍｍａｎｄ」に対してはＭＡＣ-ＡＣＫがフィードバックされないという状況において、無線基地局ｅＮＢ＃１０は、通常のＨＡＲＱ再送間隔の８ｍｓよりも短い期間で、移動局ＵＥに対して「ＨＯ  ｃｏｍｍａｎｄ」を繰り返し送信することができる。
【００４７】
本実施形態の第１の特徴において、工程Ｃにおいて、無線基地局ｅＮＢ＃１０は、移動局ＵＥからのランダムアクセスプリアンブルの受信を検出した場合に、上述のスケジューリング停止トリガを検出したと判断してもよい。
【００４８】
かかる特徴によれば、無線基地局ｅＮＢ＃１０は、移動局ＵＥからのランダムアクセスプリアンブルの受信を検出することによって、移動局ＵＥによって「ＨＯ  ｃｏｍｍａｎｄ」が受信されたと判断することができるため、「ＨＯ  ｃｏｍｍａｎｄ」の送信を停止することができる。
【００４９】
本実施形態の第１の特徴において、工程Ｃにおいて、無線基地局ｅＮＢ＃１０は、ランダムアクセス応答によって指定したＰＵＳＣＨ（物理上り共有チャネル）を介して送信された移動局ＵＥからの信号に対するＣＲＣチェックが成功した場合に、上述のスケジューリング停止トリガを検出したと判断してもよい。
【００５０】
かかる特徴によれば、無線基地局ｅＮＢ＃１０は、上述のＣＲＣチェックの成功を検出することによって、移動局ＵＥによって「ＨＯ  ｃｏｍｍａｎｄ」が受信されたと判断することができるため、「ＨＯ  ｃｏｍｍａｎｄ」の送信を停止することができる。
【００５１】
本実施形態の第１の特徴において、工程Ｃにおいて、無線基地局ｅＮＢ＃１０は、移動局ＵＥから「ＲＲＣ  ｃｏｎｎｅｃｔｉｏｎ  Ｒｅｃｏｎｆｉｇｕｒａｔｉｏｎ  ｃｏｍｐｌｅｔｅ（ＲＲＣコネクション再設定完了信号）」を受信した場合に、上述のスケジューリング停止トリガを検出したと判断してもよい。
【００５２】
かかる特徴によれば、無線基地局ｅＮＢ＃１０は、移動局ＵＥからの「ＲＲＣ  ｃｏｎｎｅｃｔｉｏｎ  Ｒｅｃｏｎｆｉｇｕｒａｔｉｏｎ  ｃｏｍｐｌｅｔｅ」の受信を検出することによって、移動局ＵＥによって「ＨＯ  ｃｏｍｍａｎｄ」が受信されたと判断することができるため、「ＨＯ  ｃｏｍｍａｎｄ」の送信を停止することができる。
【００５３】
本実施形態の第１の特徴において、工程Ｃにおいて、無線基地局ｅＮＢ＃１０は、他の無線基地局ｅＮＢからスケジューリング停止要求を受信した場合に、上述のスケジューリング停止トリガを検出したと判断してもよい。
【００５４】
かかる特徴によれば、無線基地局ｅＮＢ＃１０は、他の無線基地局ｅＮＢからのスケジューリング停止要求の受信を検出することによって、移動局ＵＥによって「ＨＯ  ｃｏｍｍａｎｄ」が受信されたと判断することができるため、「ＨＯ  ｃｏｍｍａｎｄ」の送信を停止することができる。
【００５５】
本実施形態の第１の特徴において、工程Ｃにおいて、無線基地局ｅＮＢ＃１０は、移動局ＵＥに対する「ＨＯ  ｃｏｍｍａｎｄ」の送信を開始してから所定期間が経過しても、移動局ＵＥからの応答信号を受信しない場合に、上述のスケジューリング停止トリガを検出したと判断してもよい。
【００５６】
かかる特徴によれば、無線基地局ｅＮＢ＃１０は、移動局ＵＥに対する「ＨＯ  ｃｏｍｍａｎｄ」の送信を開始してから所定期間が経過しても、移動局ＵＥからの応答信号を受信しない場合には、何らかの障害（移動局ＵＥ或いは無線区間）が発生したと判断して、「ＨＯ  ｃｏｍｍａｎｄ」の送信を停止することができる。
【００５７】
本実施形態の第２の特徴は、無線基地局ｅＮＢ＃１（第１無線基地局）配下のセル＃１（第１セル）に接続している移動局ＵＥが無線基地局ｅＮＢ＃１０（第２無線基地局）配下のセル＃１０（第２セル）にハンドオーバする際に無線基地局ｅＮＢ＃１０として動作することができる無線基地局ｅＮＢであって、無線基地局ｅＮＢ＃１からのスケジューリング開始指示に基づいて、移動局ＵＥに対する「ＨＯ  ｃｏｍｍａｎｄ」の送信を開始するように構成されている送信部１２を具備しており、送信部１２は、スケジューリング停止トリガを検出するまでの期間、移動局ＵＥに対して、所定周期で、かかる「ＨＯ  ｃｏｍｍａｎｄ」の送信を繰り返すように構成されていることを要旨とする。
【００５８】
かかる特徴によれば、異なる無線基地局ｅＮＢ配下のセル間におけるハンドオーバ手順において「ＲＲＣ  ｄｉｖｅｒｓｉｔｙ」を実現する場合に、無線基地局ｅＮＢ＃１０は、無線基地局ｅＮＢ＃１からのスケジューリング開始指示に基づいて、移動局ＵＥに対して適切なタイミングで「ＨＯ  ｃｏｍｍａｎｄ」を送信することができる。
【００５９】
なお、上述の移動局ＵＥや無線基地局ｅＮＢ＃１/ｅＮＢ＃１０の動作は、ハードウェアによって実施されてもよいし、プロセッサによって実行されるソフトウェアモジュールによって実施されてもよいし、両者の組み合わせによって実施されてもよい。
【００６０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１０内に設けられていてもよい。また、かかる記憶媒体及びプロセッサは、ディスクリートコンポーネントとして移動局ＵＥや無線基地局ｅＮＢ＃１/ｅＮＢ＃１０内に設けられていてもよい。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６３】
ｅＮＢ＃１/ｅＮＢ＃１０…無線基地局
ＵＥ…移動局
１１…受信部
１２…送信部
【図１】
2014220693.tif 000003
【図２】
2014220693.tif 000004
【図３】
2014220693.tif 000005
【図４】
2014220693.tif 000006
【図５】
2014220693.tif 000007